(57)【要約】【課題】一対の見切り板の組付け作業が容易で、且つ、見切り板自体や周囲部品を傷つけるおそれが無い車両用計器装置を提供すること。【解決手段】連結金具部４３，４４及び枠移動機構６０の少なくとも一方を隠す見切り板７１，７２は、板状部材７１ａ，７２ａと、装置ケースに固定するための固定手段８１，８２が設けられ且つ板状部材７１ａ，７２ａよりも挿入方向手前側に位置するフレーム７２ｂ、７２ｂと、を有する【選択図】図１
2015064230.tif 000002
【特許請求の範囲】
【請求項１】
車両の状態を示す種々の情報を情報表示面に画像表示する液晶表示ユニットと、
前記情報表示面に表示する各種の情報の表示位置を制御し、特定情報の表示位置を、前記情報表示面上の異なった位置に切り替える表示画像制御ユニットと、
前記液晶表示ユニットの前記情報表示面が前面に露呈するように前記液晶表示ユニットを支持する装置ケースと、
前記情報表示面上を横断する方向に沿って前記情報表示面の上を移動可能に前記情報表示面の上に配置されて、前記情報表示面に表示される前記特定情報の周囲を縁取りする枠部材と、
前記枠部材の移動方向と直交する方向に位置する前記枠部材上の端部から前記枠部材の外側に延出する連結金具部を介して前記枠部材に結合されて、前記枠部材を移動させる枠移動機構と、
当該装置の前面側に向いた前記連結金具部及び前記枠移動機構の少なくとも一方の上に迫り出すように前記装置ケースに取り付けられて、前記連結金具部及び前記枠移動機構が当該装置前面に露呈しないように、前記連結金具部及び前記枠移動機構の少なくとも一方を隠す見切り板と、
を備える車両用計器装置であって、
前記見切り板は、
板状部材と、
前記装置ケースに固定するための固定手段が設けられ且つ前記板状部材よりも前記枠部材の移動方向と直交する方向で外側に位置するフレームと、
を有することを特徴とする車両用計器装置。
【請求項２】
前記見切り板は、前記固定手段として、
前記装置ケースの外側から前記情報表示面の面方向に沿って前記装置ケースに挿入するときの挿入方向に沿って突出した第１位置規制突部と、
前記挿入方向と直交する方向に突出した第２位置規制突部と、を備え、
前記装置ケースは、
前記情報表示面の面方向に沿って窪んだ形態に外側面部に形成され、前記第１位置規制突部が嵌合する挿入案内部と、
前記第２位置規制突部と係合する見切り板係止部と、
を備えることを特徴とする請求項１に記載の車両用計器装置。
【請求項３】
前記フレームは、
前記枠部材の移動方向に沿って細長く形成され、
長手方向の両端から前記挿入方向に向かって突出した弾性片が設けられ、前記第２位置規制突部は前記弾性片の先端に設けられることを特徴とする請求項２に記載の車両用計器装置。
【発明の詳細な説明】
【技術分野】
【０００１】
本発明は、液晶表示ユニット（以下、ＬＣＤユニットとも言う。）の情報表示面上を移動する枠部材と、該枠部材の両外側に位置する連結金具部及び枠移動機構を隠す一対の見切り板と、を備える車両用計器装置に関する。
【背景技術】
【０００２】
図７及び図８は、下記特許文献１に開示された車両用計器装置を示している。
この車両用計器装置１００は、速度計や回転計などの複数の計器や警報器類を同一パッケージ内に配列したコンビネーションメータとして、車両のダッシュボードに配置される。
【０００３】
この車両用計器装置１００は、車両の状態を示す種々の情報を情報表示面１１１に画像表示するＬＣＤユニット１１０と、情報表示面１１１に表示する情報を制御する表示画像制御ユニット１２０と、情報表示面１１１が前面に露呈するようにＬＣＤユニット１１０を支持する筐体である装置ケース１３０と、情報表示面１１１の上に配置される枠部材１４０と、情報表示面１１１の情報を表示しない外周部の領域を隠す見返し板１５０と、情報表示面１１１上の枠部材１４０を図７の矢印Ｙ１方向に移動操作する枠移動機構１６０と、枠部材１４０の両側に配置される一対の見切り板１７１，１７２と、を備えている。
【０００４】
ＬＣＤユニット１１０は、その前面が、情報表示面１１１となっている。情報表示面１１１には、図１０に示すように、エンジン回転数を表示する回転計画像１１１ａ、走行速度を表示する速度計画像１１１ｂ、走行距離を表示する距離計画像１１１ｃ、油圧を表示する油圧計画像１１１ｄ、燃料の残量を表示する燃料計画像１１１ｅ、ターンランプや各種の警報ランプなどの動作状態を表示するウォーニング画像１１１ｆ，１１１ｇ、など、車両の状態を示す各種の情報が画像表示される。
【０００５】
図示例の場合、回転計画像１１１ａと速度計画像１１１ｂと距離計画像１１１ｃとは、円形に一塊になった表示画像である特定情報ＴＤを構成している。
【０００６】
表示画像制御ユニット１２０は、ＬＣＤユニット１１０の背部に配置された回路基板１２１に搭載された制御回路である。この表示画像制御ユニット１２０は、情報表示面１１１に表示する情報の表示位置を図７の矢印Ｙ１方向に変位させる制御を行い、情報表示面１１１における各種情報の表示形態を、複数の表示パターンに切り替えることができる。
【０００７】
装置ケース１３０は、ＬＣＤユニット１１０や表示画像制御ユニット１２０を収容すると共に、見返し板１５０や一対の見切り板１７１，１７２を支持する。
【０００８】
枠部材１４０は、情報表示面１１１に表示される円形の特定情報ＴＤの周囲を縁取るリング状である。この枠部材１４０は、特定情報ＴＤを表示している円形領域の外周輪郭を明確化すると共に、特定情報ＴＤを表示している一計器としての意匠の一部を構成して、特定情報ＴＤの見栄えを向上させる。
【０００９】
また、特許文献１における枠部材１４０は、情報表示面１１１上を横断する一直線Ｌ１に沿って情報表示面１１１の上を移動可能に、情報表示面１１１の上に配置される。前記一直線Ｌ１は、特定情報ＴＤが形成する円形領域の中心を通り、且つ、矢印Ｙ１方向に沿って延在する直線である。即ち、枠部材１４０は、表示パターンの切り替え時の特定情報ＴＤの移動方向に沿って、移動可能に配置される。
【００１０】
見返し板１５０は、情報表示面１１１の情報を表示しない外周部の領域を隠す。
【００１１】
枠移動機構１６０は、表示画像制御ユニット１２０による表示パターンの切り替えによって特定情報ＴＤの表示領域が図７の矢印Ｙ１方向に移動するとき、移動した特定情報ＴＤの周囲が枠部材１４０で囲われるように、枠部材１４０を特定情報ＴＤの移動方向（図７の矢印Ｙ１方向）に沿って移動させる。この枠移動機構１６０は、枠部材１４０の移動方向と直交する方向に対峙する枠部材１４０上の一対の端部１４０ａ，１４０ｂから枠部材１４０の外側（図７では矢印Ｚ１，Ｚ２方向）に延出する不図示の連結金具部を介して枠部材１４０に結合された直線移動機構である。
【００１２】
図示はされていないが、不図示の連結金具部及び枠移動機構１６０は、枠部材１４０の一対の端部１４０ａ，１４０ｂの外側となる位置に配置されていて、見返し板１５０の切欠１５１の内側に露呈する。
【００１３】
一対の見切り板１７１，１７２は、図７の矢印Ｙ１方向に細長い板材で、見返し板１５０の裏側において装置ケース１３０に取り付けられて、前記連結金具部及び枠移動機構１６０が装置前面に露呈しないように、連結金具部及び枠移動機構を隠す。
【００１４】
車両用計器装置１００を構成する表示画像制御ユニット１２０、ＬＣＤユニット１１０、一対の見切り板１７１，１７２、見返し板１５０、枠部材１４０などは、それぞれの部品の積層方向（図８の矢印Ｙ２方向）に沿って、積層順に装置ケース１３０に組み付けられる。
【００１５】
但し、特許文献１の車両用計器装置１００の場合、一対の見切り板１７１，１７２は、図９に示すように、枠部材１４０の背面の収容溝１３１に収容されて装置ケース１３０に装着される。
【００１６】
収容溝１３１は、それぞれの部品の積層方向（図８の矢印Ｙ２方向）と直交する方向（図９（ａ）の矢印Ｙ３方向）に窪んで形成された溝である。
【００１７】
そのため、各見切り板１７１，１７２の収容溝１３１への組付けは、まず図９（ａ）に矢印Ｂ１で示すように、見切り板１７１，１７２を収容溝１３１の窪み方向に対して傾斜させた状態で、見切り板１７１，１７２の先端部を収容溝１３１の入り口に進入させる。次いで、図９（ｂ）に矢印Ｂ２で示すように、見切り板１７１，１７２を回転させて、見切り板１７１，１７２の先端部を収容溝１３１の奥まで挿入する。そして、見切り板１７１，１７２を情報表示面１１１に平行な状態にし、装置ケース１３０に嵌めることで、見切り板１７１，１７２の組付けが完了する。
【先行技術文献】
【特許文献】
【００１８】
【特許文献１】特開２００５−２４１６２６号公報
【発明の概要】
【発明が解決しようとする課題】
【００１９】
ところが、特許文献１の車両用計器装置１００の場合、見切り板１７１，１７２の組付けの際に、回転操作が必要になるため、見切り板１７１，１７２の組付けに手間がかかるという問題があった。
【００２０】
更に、見切り板１７１，１７２の回転操作を不用意に行うと、見切り板自体や周囲部品を傷つけるおそれがあった。
【００２１】
そのため、見切り板１７１，１７２の組付けに慎重な操作が要求されて、生産性の向上が難しいという問題があった。
【００２２】
そこで、本発明の目的は、上記課題を解消することに係り、枠部材の両外側に位置する連結金具部及び枠移動機構を隠す見切り板の組付け作業が容易で、かつ、見切り板の組付け作業で見切り板自体や周囲部品を傷つけるおそれが無く、生産性を向上させることのできる車両用計器装置を提供することにある。
【課題を解決するための手段】
【００２３】
本発明の前述した目的は、下記の構成により達成される。
（１）  車両の状態を示す種々の情報を情報表示面に画像表示する液晶表示ユニットと、
前記情報表示面に表示する各種の情報の表示位置を制御し、特定情報の表示位置を、前記情報表示面上の異なった位置に切り替える表示画像制御ユニットと、
前記液晶表示ユニットの前記情報表示面が前面に露呈するように前記液晶表示ユニットを支持する装置ケースと、
前記情報表示面上を横断する方向に沿って前記情報表示面の上を移動可能に前記情報表示面の上に配置されて、前記情報表示面に表示される前記特定情報の周囲を縁取りする枠部材と、
前記枠部材の移動方向と直交する方向に位置する前記枠部材上の端部から前記枠部材の外側に延出する連結金具部を介して前記枠部材に結合されて、前記枠部材を移動させる枠移動機構と、
当該装置の前面側に向いた前記連結金具部及び前記枠移動機構の少なくとも一方の上に迫り出すように前記装置ケースに取り付けられて、前記連結金具部及び前記枠移動機構の少なくとも一方が当該装置前面に露呈しないように、前記連結金具部及び前記枠移動機構の少なくとも一方を隠す見切り板と、
を備える車両用計器装置であって、
前記見切り板は、
板状部材と、
前記装置ケースに固定するための固定手段が設けられ且つ前記板状部材よりも前記枠部材の移動方向と直交する方向で外側に位置するフレームと、
を有することを特徴とする車両用計器装置。
【００２４】
（２）  前記見切り板は、前記固定手段として、
前記装置ケースの外側から前記情報表示面の面方向に沿って前記装置ケースに挿入するときの挿入方向に沿って突出した第１位置規制突部と、
前記挿入方向と直交する方向に突出した第２位置規制突部と、を備え、
前記装置ケースは、
前記情報表示面の面方向に沿って窪んだ形態に外側面部に形成され、前記第１位置規制突部が嵌合する挿入案内部と、
前記第２位置規制突部と係合する見切り板係止部と、
を備えることを特徴とする上記（１）に記載の車両用計器装置。
【００２５】
（３）  前記フレームは、
前記枠部材の移動方向に沿って細長く形成され、
長手方向の両端から前記挿入方向に向かって突出した弾性片が設けられ、前記第２位置規制突部は前記弾性片の先端に設けられることを特徴とする上記（２）に記載の車両用計器装置。
【００２６】
上記（１）の構成によれば、連結金具部及び枠移動機構の少なくとも一方を隠す見切り板は、装置ケースの外側から、情報表示面の面方向に沿って挿入するという単純な操作で装置ケース上の規定位置に固定することができ、回転操作は不要である。
【００２７】
そのため、見切り板の組付け作業が容易で、かつ、見切り板の組付け操作で見切り板自体や周囲部品を傷つけるおそれが無く、生産性を向上させることができる。
【００２８】
上記（２）の構成によれば、枠部材の両外側に位置する連結金具部及び枠移動機構の少なくとも一方を隠す見切り板は、装置ケースの外側から情報表示面の面方向に沿う挿入操作を行うと、見切り板に装備されている第１位置規制突部が装置ケースの外側面部に形成された挿入案内部に嵌合することで、挿入方向と直交する方向への移動が規制されて、情報表示面と直交する方向における各見切り板の取り付け位置が、簡単に、枠部材と連結金具部との間に設定されている規定の取り付け位置に位置決めされる。
【００２９】
そして、更に、見切り板を情報表示面の面方向に沿って挿入することで、見切り板が連結金具部及び枠移動機構の上に迫り出した規定の取り付け位置に到達すると、見切り板に装備されている第２位置規制突部が装置ケースに備えられている見切り板係止部に係合して、見切り板の挿入方向に沿う方向の移動が規制されて、見切り板が装置ケースに固定される。
【００３０】
上記（３）の構成によれば、簡単な構成で見切り板を固定することができる。
【発明の効果】
【００３１】
本発明による車両用計器装置によれば、枠部材の両外側に位置する連結金具部及び枠移動機構の少なくとも一方を隠す見切り板の組付け作業が容易で、かつ、見切り板の組付け操作で見切り板自体や周囲部品を傷つけるおそれが無く、生産性を向上させることができる。
【００３２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００３３】
【図１】図１は本発明に係る車両用計器装置の一実施形態の分解斜視図である。
【図２】図２は図１に示した装置ケースを下方から視た要部斜視図である。
【図３】図３は図１のＡ部の拡大図である。
【図４】図４は図４に示した底部側の見切り板の裏面側の構造を示す斜視図である。
【図５】図５は図１に示した装置ケースに一対の見切り板が取り付けられた状態の斜視図である。
【図６】図６は図５のＢ部の拡大図である。
【図７】図７は従来の車両用計器装置の正面図である。
【図８】図８は図７のＤ−Ｄ線に沿う断面図である。
【図９】図９は従来の車両用計器装置における見切り板の取り付け構造の説明図であり、図９（ａ）は見切り板取り付け前の状態、図９（ｂ）は見切り板取り付け後の状態を表す。
【発明を実施するための形態】
【００３４】
以下、本発明に係る車両用計器装置の好適な実施形態について、図面を参照して詳細に説明する。
【００３５】
図１〜図６は本発明に係る車両用計器装置の一実施形態を示したもので、図１は本発明の一実施形態の車両用計器装置の分解斜視図、図２は図１に示した装置ケースを下方から視た要部斜視図、図３は図１のＡ部の拡大図、図４は図３に示した底部側の見切り板の裏面側の構造を示す斜視図、図５は図１に示した装置ケースに一対の見切り板が取り付けられた状態の斜視図、図６は図５のＢ部の拡大図である。
【００３６】
この一実施形態の車両用計器装置１は、図１に示すように、車両の状態を示す種々の情報を情報表示面１１に画像表示するＬＣＤユニット１０と、情報表示面１１に表示する情報を制御する不図示の表示画像制御ユニットと、情報表示面１１が前面に露呈するようにＬＣＤユニット１０を支持する筐体である装置ケース３０と、情報表示面１１の上に配置される枠部材４０と、情報表示面１１の情報を表示しない外周部の領域を隠す不図示の見返し板と、情報表示面１１上の枠部材４０を図１の矢印Ｙ４方向に移動操作する枠移動機構６０と、枠部材４０の両側に配置される一対の見切り板７１，７２と、を備えている。
【００３７】
ＬＣＤユニット１０は、その前面が、情報表示面１１となっている。ＬＣＤユニット１０は、図７に示したＬＣＤユニット１１０と同様な機能を備えたものである。従って、図示はしていないが、このＬＣＤユニット１０の情報表示面１１には、エンジン回転数を表示する回転計画像、走行速度を表示する速度計画像、走行距離を表示する距離計画像、油圧を表示する油圧計画像、燃料の残量を表示する燃料計画像、ターンランプや各種の警報ランプなどの動作状態を表示するウォーニング画像、など、車両の状態を示す各種の特定情報ＴＤが画像表示される。なお、図１では、特定情報ＴＤは、単に画像の領域だけを示しており、具体的な画像は表示していない。
【００３８】
不図示の表示画像制御ユニットは、図８に示した表示画像制御ユニット１２０と同様な制御回路である。この表示画像制御ユニットは、情報表示面１１に表示する情報の表示位置を制御し、情報表示面１１における各種情報の表示形態を、複数の表示パターンに切り替えることができる。
【００３９】
ここに、各表示パターンは、特定情報ＴＤの表示領域の位置を図１の矢印Ｙ４方向に相異させると共に、種々の表示画像の配列を変更したものである。
【００４０】
言い換えると、不図示の表示画像制御ユニットは、表示パターンの切り替えによって、特定情報ＴＤの表示位置を図１の矢印Ｙ４方向に変位させて、表示内容や見栄えの異なるメータ配列を実現する。
【００４１】
装置ケース３０は、ＬＣＤユニット１０や表示画像制御ユニットを収容すると共に、見返し板や一対の見切り板７１，７２を収容する。
【００４２】
枠部材４０は、図１に示すように、情報表示面１１に表示される円形の特定情報ＴＤの周囲を縁取るリング状である。この枠部材４０は、特定情報ＴＤの周囲を縁取るリング状の枠本体４１と、この枠本体４１の表面に配備される装飾部４２と、を備える。本実施形態の場合、装飾部４２は、枠本体４１の表面に刻設した装飾用の溝であるが、例えば、溝の代わりに、ＬＥＤランプを配置することもできる。
【００４３】
枠部材４０は、特定情報ＴＤの周囲を縁取りして、特定情報ＴＤを表示している円形領域の外周輪郭を明確化する。また、枠部材４０は、特定情報ＴＤを表示している一計器としての意匠の一部を構成して、特定情報ＴＤの見栄えを向上させる。
【００４４】
更に、本実施形態の枠部材４０は、情報表示面１１上を横断する一直線Ｌ２に沿って情報表示面１１の上を移動可能に、情報表示面１１の上に配置される。前記一直線Ｌ２は、特定情報ＴＤが形成する円形領域の中心を通り、且つ、図１の矢印Ｙ４方向に沿って延在する直線である。即ち、枠部材４０は、表示パターンの切り替え時の特定情報ＴＤの移動方向に沿って、移動可能に配置される。
【００４５】
図１の車両用計器装置１の正面には、図７に示した見返し板１５０に相当する、情報表示面１１の情報を表示しない外周部の領域を隠すと共に、情報表示面１１の情報を表示する領域は、切欠により、装置前面に露呈させる見返し板（不図示）が装着される。この不図示の見返し板は、主に、コンビネーションメータとしての外周部の意匠を構成し、車両用計器装置１としての見栄えを向上させる。
【００４６】
枠移動機構６０は、表示画像制御ユニットによる表示パターンの切り替えによって特定情報ＴＤの表示領域が図１の矢印Ｙ４方向に移動するとき、移動した特定情報ＴＤの周囲が枠部材４０で囲われるように、枠部材４０を特定情報ＴＤの移動方向（図１の矢印Ｙ４方向）に沿って移動させる。この枠移動機構６０は、枠部材４０の移動方向と直交する方向（図１の矢印Ｙ５方向）に対峙する枠部材４０上の一対の端部４０ａ，４０ｂから枠部材４０の外側（図１では矢印Ｚ３，Ｚ４方向）に延出する連結金具部４３，４４を介して枠部材４０に結合された直線移動機構である。この枠移動機構６０には、例えば、ラック＆ピニオン等の直線移動機構が利用される。
【００４７】
連結金具部４３，４４及び枠移動機構６０は、枠部材４０の一対の端部４０ａ，４０ｂの外側となる位置に配置されていて、見切り板７１，７２の取り付け前では、図１に示すように、装置前面に露呈する。
【００４８】
一対の見切り板７１，７２は、板状部材７１ａ，７２ａと、フレーム７１ｂ、７２ｂとからなる。一対の見切り板７１，７２は、図１の矢印Ｙ４方向に細長い部材で、当該車両用計器装置１の前面側に向いた前記連結金具部４３，４４及び枠移動機構６０の上に迫り出すように、不図示の見返し板の裏側において装置ケース３０に取り付けられる。該取り付けによって、前記連結金具部４３，４４及び枠移動機構６０が装置前面に露呈しないように、連結金具部４３，４４及び枠移動機構６０を隠す。なお、見切り板７１，７２は連結金具部４３，４４及び枠移動機構６０の少なくとも一方が前面に露呈するときは、どちらか一方を隠せばよい。
【００４９】
車両用計器装置１を構成する不図示の表示画像制御ユニット、ＬＣＤユニット１０、不図示の見返し板、枠部材４０などは、それぞれの部品の積層方向（装置ケース３０の厚み方向で、図１の矢印Ｙ６方向である）に沿って、積層順に装置ケース３０に組み付けられる。
【００５０】
但し、本実施形態の場合、一対の見切り板７１，７２は、装置ケース３０の外側から情報表示面１１の面方向に沿う単純な挿入操作によって、装置ケース３０に固定される。
【００５１】
本実施形態の一対の見切り板７１，７２は、単純な挿入操作によって装置ケース３０に固定可能にするために、図４に示すように、第１位置規制突部８１と、第２位置規制突部８２とを備える。
【００５２】
第１位置規制突部８１は、装置ケース３０の外側から情報表示面１１の面方向に沿って装置ケース３０に挿入するときの挿入方向（図４では、矢印Ｙ７方向）に向かって突出した突片である。第１位置規制突部８１は、各見切り板７１，７２の裏側で、各見切り板７１，７２の長手方向の両端付近に装備されている。
【００５３】
第２位置規制突部８２は、図４に示すように、挿入方向と直交する方向（図４では、矢印Ｙ８方向）に突出した突起である。本実施形態の第２位置規制突部８２は、見切り板７１，７２の長手方向の両端から前記挿入方向に向かって突出した弾性片８３の先端に設けられている。
【００５４】
図４では、一方の見切り板７２における第１位置規制突部８１及び第２位置規制突部８２の装備形態を示しているが、これらの第１位置規制突部８１及び第２位置規制突部８２は、他方の見切り板７１においても同様に設けられている。
【００５５】
また、本実施形態の場合、一対の見切り板７１，７２を単純な挿入操作で固定可能にするために、装置ケース３０には、図２及び図３に示すように、挿入案内部８５と、見切り板係止部８６とが装備される。
【００５６】
挿入案内部８５は、見切り板７１，７２の第１位置規制突部８１が嵌合する孔で、見切り板７１，７２の挿入方向（図２では、矢印Ｙ１０方向）沿って窪んだ形態に装置ケース３０の外側面部に形成されている。挿入案内部８５は、見切り板７１，７２上の二つの第１位置規制突部８１の位置に対応して、２箇所に装備されている。各挿入案内部８５は、見切り板７１，７２を装置ケース３０の外側から情報表示面１１の面方向に沿って装置ケース３０に挿入し、第１位置規制突部８１が嵌合することで、見切り板７１，７２の挿入方向と直交する方向への移動を規制する。情報表示面１１と直交する方向における見切り板７１，７２の取り付け位置は、第１位置規制突部８１と挿入案内部８５との嵌合によって、枠部材４０と連結金具部４３，４４との間に位置決めされる。
【００５７】
見切り板係止部８６は、見切り板７１，７２の第２位置規制突部８２が係合する突起で情報表示面１１と直交する方向（Ｙ２方向）に沿って突出して設けられている。見切り板係止部８６は、装置ケース３０の外側から情報表示面１１の面方向に沿って見切り板７１，７２を挿入し、図５に示すように見切り板７１，７２が連結金具部４３，４４及び枠移動機構６０の上に迫り出した規定の取り付け位置に到達したときに、図６に示すように、第２位置規制突部８２と係合して、見切り板７１，７２の挿入方向に沿う方向の移動を規制する。
【００５８】
図６に示すように、各見切り板７１，７２の第１位置規制突部８１と挿入案内部８５との嵌合と、第２位置規制突部８２が見切り板係止部８６に係合することで、各見切り板７１，７２が装置ケース３０に固定された状態になる。
【００５９】
以上に説明した一実施形態の車両用計器装置１の場合、枠部材４０の両外側に位置する連結金具部４３，４４及び枠移動機構６０を隠す一対の見切り板７１，７２は、装置ケース３０の外側から情報表示面１１の面方向に沿う挿入操作を行うと、それぞれの見切り板７１，７２に装備されている第１位置規制突部８１が装置ケース３０の外側面部に形成された挿入案内部８５に嵌合することで、挿入方向と直交する方向への移動が規制される。また、第１位置規制突部８１と挿入案内部８５との嵌合によって、情報表示面１１と直交する方向における各見切り板７１，７２の取り付け位置が、簡単に、枠部材４０と連結金具部４３，４４との間に設定されている規定の取り付け位置に位置決めされる。
【００６０】
そして、更に、各見切り板７１，７２を情報表示面１１の面方向に沿って挿入することで、各見切り板７１，７２が連結金具部４３，４４及び枠移動機構６０の上に迫り出した規定の取り付け位置に到達すると、図６に示したように、それぞれの見切り板７１，７２に装備されている第２位置規制突部８２が装置ケース３０に備えられている見切り板係止部８６に係合して、各見切り板７１，７２の挿入方向に沿う方向の移動が規制されて、各見切り板７１，７２が装置ケース３０に固定される。
【００６１】
即ち、本実施形態の構成によれば、連結金具部４３，４４及び枠移動機構６０を隠す一対の見切り板７１，７２は、装置ケース３０の外側から、情報表示面１１の面方向に沿って挿入するという単純な操作で装置ケース３０上の規定位置に固定することができ、回転操作は不要である。
【００６２】
そのため、一対の見切り板７１，７２の組付け作業が容易で、かつ、見切り板７１，７２の組付け操作で見切り板７１，７２自体や周囲部品を傷つけるおそれが無く、生産性を向上させることができる。
【００６３】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６４】
例えば、見切り板に装備する第１位置規制突部や第２位置規制突部の具体的が構造や、装置ケースに装備する挿入案内部や見切り板係止部の具体的な構造は、本発明の主旨を逸脱しない範囲で、適宜に設計変更することができる。
【００６５】
ここで、上述した本発明に係る車両用計器装置の実施形態の特徴をそれぞれ以下［１］〜［３］に簡潔に纏めて列記する。
【００６６】
［１］  車両の状態を示す種々の情報を情報表示面（１１）に画像表示する液晶表示ユニット（１０）と、
前記情報表示面（１１）に表示する各種の情報の表示位置を制御し、特定情報（ＴＤ）の表示位置を、前記情報表示面（１１）上の異なった位置に切り替える表示画像制御ユニットと、
前記液晶表示ユニット（１０）の前記情報表示面（１１）が前面に露呈するように前記液晶表示ユニット（１０）を支持する装置ケース（３０）と、
前記情報表示面（１１）上を横断する方向に沿って前記情報表示面（１１）の上を移動可能に前記情報表示面（１１）の上に配置されて、前記情報表示面（１１）に表示される前記特定情報（ＴＤ）の周囲を縁取りする枠部材（４０）と、
前記枠部材（４０）の移動方向と直交する方向に位置する前記枠部材（４０）上の端部（４０ａ，４０ｂ）から前記枠部材（４０）の外側に延出する連結金具部（４３，４４）を介して前記枠部材（４０）に結合されて、前記枠部材（４０）を移動させる枠移動機構（６０）と、
当該装置の前面側に向いた前記連結金具部（４３，４４）及び前記枠移動機構（６０）の少なくとも一方の上に迫り出すように前記装置ケース（３０）に取り付けられて、前記連結金具部（４３，４４）及び前記枠移動機構（６０）の少なくとも一方が当該装置前面に露呈しないように、前記連結金具部（４３，４４）及び前記枠移動機構（６０）の少なくとも一方を隠す見切り板（７１，７２）と、
を備える車両用計器装置（１）であって、
前記見切り板は（７１，７２）、
板状部材（７１ａ，７２ａ）と、
前記装置ケース（３０）に固定するための固定手段（８１，８２）が設けられ且つ前記板状部材（７１ａ，７２ａ）よりも前記枠部材（４０）の移動方向と直交する方向で外側に位置するフレーム（７１ｂ、７２ｂ）と、
を有することを特徴とする車両用計器装置（１）。
【００６７】
［２］  前記見切り板（７１，７２）は、前記固定手段として、
前記装置ケース（３０）の外側から前記情報表示面（１１）の面方向に沿って前記装置ケース（３０）に挿入するときの挿入方向に沿って突出した第１位置規制突部（８１）と、
前記挿入方向と直交する方向に突出した第２位置規制突部（８２）と、を備え、
前記装置ケース（３０）は、
前記情報表示面（１１）の面方向に沿って窪んだ形態に外側面部に形成され、前記第１位置規制突部（８１）が嵌合する挿入案内部（８５）と、
前記第２位置規制突部（８２）と係合する見切り板係止部（８６）と、
を備えることを特徴とする上記［１］に記載の車両用計器装置（１）。
【００６８】
［３］  前記フレーム（７１ｂ、７２ｂ）は、
前記枠部材（４０）の移動方向に沿って細長く形成され、
長手方向の両端から前記挿入方向に向かって突出した弾性片（８３）が設けられ、前記第２位置規制突部（８２）は前記弾性片（８３）の先端に設けられることを特徴とする上記［２］に記載の車両用計器装置（１）。
【符号の説明】
【００６９】
１  車両用計器装置
１０  ＬＣＤユニット（液晶表示ユニット）
１１  情報表示面
３０  装置ケース
４０  枠部材
４０ａ，４０ｂ  端部
４３，４４  連結金具部
６０  枠移動機構
７１，７２  見切り板
７１ａ，７２ａ  板状部材
７１ｂ、７２ｂ  フレーム
８１  第１位置規制突部（固定手段）
８２  第２位置規制突部（固定手段）
８５  挿入案内部
８６  見切り板係止部
【図２】
2015064230.tif 000003
【図３】
2015064230.tif 000004
【図４】
2015064230.tif 000005
【図５】
2015064230.tif 000006
【図６】
2015064230.tif 000007
【図７】
2015064230.tif 000008
【図８】
2015064230.tif 000009
【図９】
2015064230.tif 000010
【図１】
2015064230.tif 000011